(57)【要約】【課題】地下構造物用蓋のロック金具１０において、簡単な構成で、解錠時の鍵穴にシリンダ錠を差し込むという誤操作を防ぐ。【解決手段】ロック金具１０は、蓋に取り付けられるブラケット１１と、ブラケットに回動可能に取り付けられている鍵部品１２と、鍵部品１２を覆い、開閉鍵を差し込むための鍵穴を形成するケーシング１３と、を有している。鍵部品１２は、開閉鍵との連結部１２ｄを頭部に有したシャフト１２ａと、連結部を囲む円筒状のシャッター部品１２ｂと、シャフトを回動することによって施錠又は解錠を行う施錠部材１２ｃとを有している。ケーシングの鍵穴を形成するケーシング開口及びシャッター部品の内周面に形成されている溝１２ｇ、１３ｄが、施錠部材が施錠状態にある時にのみ形状整合して、シリンダ錠を鍵穴に差し込めるようにする。これにより解錠状態にある時に、鍵穴にシリンダ錠が誤って差し込まれることが防止される。【選択図】図５
2014055465.tif 000002
【特許請求の範囲】
【請求項１】
受枠及び該受枠に開閉可能に取り付けられている蓋で構成される地下構造物用蓋のロック金具であって、
前記蓋に取り付けられるブラケットと、前記ブラケットを貫通して軸回りに回動可能に取り付けられている鍵部品と、前記ブラケットに前記鍵部品を覆うように取り付けられて前記蓋の開閉鍵を差し込むための鍵穴を形成するケーシングと、を有しており、
前記鍵部品は、前記開閉鍵と連結する連結部を頭部に有したシャフトと、前記シャフトの連結部を囲むように取り付けられた円筒状のシャッター部品と、前記シャフトの下端部にあって、シャフトを回動することによって前記蓋を施錠又は解錠する施錠部材とを有し、
円柱状の外周面に突起又は溝を有するシリンダ錠を前記シャッター部品内に収納して前記連結部を塞ぐため、前記ケーシングの鍵穴を形成するケーシング開口及び前記シャッター部品の内周面は、前記施錠部材が施錠状態のときにのみ形状整合して、前記シリンダ錠を差し込めるようにする溝又は突起を有していることを特徴とする地下構造物用蓋のロック金具。
【請求項２】
前記シャッター部品は、前記シリンダ錠を差し込むためのシャッター開口と、前記シリンダ錠の突起又は溝に対応する溝又は突起とを内周面に有しており、
前記ケーシング開口は、前記施錠部材が施錠状態のときに、前記シャッター部品の溝又は突起と形状整合することによって、前記シリンダ錠を差し込めるようにする溝又は突起を内周面に備えていることを特徴とする請求項１に記載の地下構造物用蓋のロック金具。
【請求項３】
前記シリンダ錠は、シリンダ錠用鍵によって外周面から突出又は収納される可動突起を有しており、
前記シャッター部品は、前記可動突起が嵌る凹部を内周面に有していることを特徴とする請求項１又は請求項２に記載の地下構造物用蓋のロック金具。
【請求項４】
前記シャッター部品の凹部は、予め定めた範囲の幅を有している筒状の凹部であり、前記シャッター部品に差し込んだときの前記可動突起の位置が前記予め定めた範囲内にあるシリンダ錠を収納できることを特徴とする請求項３に記載の地下構造物用蓋のロック金具。
【請求項５】
前記シリンダ錠は外周面頂部に１の突起を有しており、
前記シャッター部品は、前記１の突起に対応する溝を内周面に有しており、
前記ケーシングは、前記施錠部材が施錠状態のときにのみ、前記シャッター部品の溝と形状整合して、前記シリンダ錠を差し込めるようにする溝を前記ケーシング開口の内周面に有していることを特徴とする請求項１乃至請求項４の何れか一項に記載の地下構造物用蓋のロック金具。
【発明の詳細な説明】
【技術分野】
【０００１】
本発明は、地下構造物用蓋のロック金具に関する。
【背景技術】
【０００２】
受枠及び該受枠に開閉可能に取り付けられている丸型又は矩形の地下構造物用蓋のロック金具には、地下構造物用蓋が路面に配設されることに起因して、泥及び砂の侵入を防ぎ、又は、それらのものが多少侵入してきても正常に動作する耐性を有することが求められる。また、ロック金具には、故障の少ない簡単な構成で、かつ、不正解錠又はテロ行為のために安易に開けられたりしない高いセキュリティ性能が求められている。
【０００３】
一般に知られているロック金具（第１の鍵ユニットという）は、開閉鍵によって蓋の施錠及び解錠を行うものであり、開閉鍵用の鍵穴を有している。前記鍵穴は、誤操作防止用に円柱状のシリンダ錠（第２の鍵ユニットという）を差し込むことができるようになっている。シリンダ錠は、鍵穴に差し込んだ状態で施錠することによって、固定できるようになっている。作業者は、第１の鍵ユニットの施錠後、その鍵穴に第２の鍵ユニットを差し込んで施錠し、固定した後、その上に１又は複数のキャップを被せる。この様な構成を採用することによって、ロック金具は、ロック金具の鍵穴への泥及び砂の侵入を防ぐと同時に路上から鍵穴の内部、特に開閉鍵に連結する部分が直接目視されないようにしている。
【０００４】
蓋の解錠は、鍵穴に被せてあるキャップを外し、第２の鍵ユニットを外し、開閉鍵を鍵穴に差し込んで連結し、開閉鍵を回動することによって行う。このようなロック金具では、第１の鍵ユニットが解錠しているにもかかわらず、第２の鍵ユニットが誤って鍵穴に差し込まれる虞がある。このような誤操作を防ぐため、第１の鍵ユニットが解錠しているときには、第２の鍵ユニットを鍵穴に差し込めないようにしたロック金具が種々提案されている（例えば、下記特許文献１を参照)）。
【０００５】
なお、地下構造物用蓋とは、光ファイバーケーブル等の通信線、電線、ガス管、水道管、地下通路、及び地下水路等の地下構造物が有している地上の路面との連結管の開口を塞ぐための蓋、並びに、前記地下構造物に関する計器、制御弁及び制御盤等を覆う蓋のことをいう。
【先行技術文献】
【特許文献】
【０００６】
【特許文献１】特許第４３２３４９１号公報
【発明の概要】
【発明が解決しようとする課題】
【０００７】
特許文献１に記載のロック金具は、第１の鍵ユニットの施錠又は解錠に伴い回動する部材と、この部材の回動動作に連動して上下に摺動動作し、解錠時には第２の鍵ユニットを鍵穴の予定の深さまで差し込めないように第２の鍵ユニットを押し上げる軸部材と、を備えている。作業者は、第２の鍵ユニットが予定の深さまで差し込めない場合、蓋の鍵が開いていることに気づく。これによって前記誤操作が防止される。
【０００８】
前述したように、路上に配設される地下構造物用蓋は泥や砂に晒されるため、前記摺動作する軸部材は、目詰りを起こし、動作不良を起こす虞がある。この場合、実際には施錠されているのに軸部材が下がらず、第２の鍵ユニットを収納できなくなる。なお、地下構造物用蓋は、路面に配設され泥及び砂に晒される蓋であって前記課題を有する種々の称呼の蓋、例えばマンホールの蓋を含む。
【０００９】
本発明は、簡単な構成で、前記誤操作を防ぐことのできる地下構造物用蓋のロック金具を提供することを目的とする。
【課題を解決するための手段】
【００１０】
上記目的を達成するために本発明は、受枠及び該受枠に開閉可能に取り付けられている蓋で構成される地下構造物用蓋のロック金具であって、前記蓋に取り付けられるブラケットと、前記ブラケットを貫通して軸回りに回動可能に取り付けられている鍵部品と、前記ブラケットに前記鍵部品を覆うように取り付けられて前記蓋の開閉鍵を差し込むための鍵穴を形成するケーシングと、を有しており、前記鍵部品は、前記開閉鍵と連結する連結部を頭部に有したシャフトと、前記シャフトの連結部を囲むように取り付けられた円筒状のシャッター部品と、前記シャフトの下端部にあって、シャフトを回動することによって前記蓋を施錠又は解錠する施錠部材とを有し、円柱状の外周面に突起又は溝を有するシリンダ錠を前記シャッター部品内に収納して前記連結部を塞ぐため、前記ケーシングの鍵穴を形成するケーシング開口及び前記シャッター部品の内周面は、前記施錠部材が施錠状態のときにのみ形状整合して、前記シリンダ錠を差し込めるようにする溝又は突起を有していることを特徴とする。
【００１１】
前記シャッター部品は、前記シリンダ錠を差し込むためのシャッター開口と、前記シリンダ錠の突起又は溝に対応する溝又は突起とを内周面に有しており、前記ケーシング開口は、前記施錠部材が施錠状態のときに、前記シャッター部品の溝又は突起と形状整合することによって、前記シリンダ錠を差し込めるようにする溝又は突起を内周面に備えていることが好ましい。
【００１２】
前記シリンダ錠は、シリンダ錠用鍵によって外周面から突出又は収納される可動突起を有しており、前記シャッター部品は、前記可動突起が嵌る凹部を内周面に有していることが好ましい。
【００１３】
前記シャッター部品の凹部は、予め定めた範囲の幅を有している筒状の凹部であり、前記シャッター部品に差し込んだときの前記可動突起の位置が前記予め定めた範囲内にあるシリンダ錠を収納できることが好ましい。
【００１４】
前記シリンダ錠は外周面頂部に１の突起を有しており、前記シャッター部品は、前記１の突起に対応する溝を内周面に有しており、前記ケーシングは、前記施錠部材が施錠状態のときにのみ、前記シャッター部品の溝と形状整合して、前記シリンダ錠を差し込めるようにする溝を前記ケーシング開口の内周面に有していることが好ましい。
【発明の効果】
【００１５】
本発明によれば、ケーシング開口及びシャッター部品の内周面は、シリンダ錠を、施錠部材が施錠状態にある時にのみ差し込めるようにする鍵として機能する。これにより蓋が解錠されている時に、ケーシングの鍵穴に、シリンダ錠が誤って差し込まれることを防ぐことができる。
【図面の簡単な説明】
【００１６】
【図１】（ａ）は本発明の一実施の形態に係るロック金具を備えた地下構造物用蓋の斜視図、（ｂ）は蓋を開けた状態を示す斜視図。
【図２】（ａ）は同ロック金具解錠時の地下構造物用蓋の断面図、（ｂ）は（ａ）に示すＢ矢視図、（ｃ）は（ａ）に示すＣ矢視図。
【図３】（ａ）は同ロック金具施錠時の地下構造物用蓋の断面図、（ｂ）は（ａ）においてキャップを外した状態のＤ矢視図、（ｃ）は（ａ）に示すＥ矢視図。
【図４】同ロック金具の分解斜視図。
【図５】（ａ）〜（ｅ）は同ロック金具の組み立て手順を示す斜視図。
【図６】（ａ）は施錠時のケーシング開口及びシャッター部品に設けられている溝の位置関係を示す斜視図、（ｂ）は解錠時のケーシング開口及びシャッター部品に設けられている溝の位置関係を示す斜視図。
【図７】（ａ）は施錠後にケーシングの鍵穴にシリンダ錠を差し込む際の斜視図、（ｂ）はシリンダ錠を差し込んだ後、シリンダ用の鍵をかけた後の斜視図、（ｃ）は解錠時にはシリンダ錠が差し込めないことを表す斜視図。
【図８】シリンダ錠と、互換性のあるシリンダ錠との側面図。
【図９】（ａ）、（ｂ）は互換性のあるシリンダ錠を差し込んだ状態のロック金具の断面図。
【発明を実施するための形態】
【００１７】
本発明の地下構造物用蓋のロック金具（第１の鍵ユニット）は、蓋に取り付けられるブラケットを貫通し、該貫通する軸回りに回動可能に取り付けられている鍵部品と、ブラケットに前記鍵部品を覆うように取り付けられて開閉鍵の鍵穴を形成するケーシングと、を有している。鍵部品は、開閉鍵と連結する連結部を頭部に有したシャフトと、連結部を囲むように取り付けられた円筒状のシャッター部品と、シャフトの下端部に蓋の解錠及び施錠を行う施錠部材とを有し、ケーシングの鍵穴を形成するケーシング開口及びシャッター部品の内周面は、施錠部材が施錠状態にある時にのみ、側面に突起又は溝を有しているシリンダ錠（第２の鍵ユニット）を収納可能な状態に形状整合する溝又は突起を有していることを特徴とする。上記のような極めて簡単な構成を採用することによって、ケーシング開口及びシャッター部品の内周面は、シリンダ錠を、施錠部材が施錠状態にある時にのみ差し込めるようにする鍵（第３の鍵ユニット）として機能する。そして施錠部材が解錠状態又は完全に施錠できていないときに、第２の鍵ユニットであるシリンダ錠がシャッター部品に差し込まれるのを防ぐ。
【００１８】
図１（ａ）は、本発明の一実施の形態に係るロック金具を備えた地下構造物用蓋の鍵穴に開閉鍵を差し込んで解錠している様子を示し、（ｂ）は解錠した蓋を開けた状態を示す。地下構造物１は、地中に埋設されている受枠２と、受枠２に蝶番で開閉可能に取り付けられている蓋３と、で構成されている。蓋３には、第１の鍵ユニットであるロック金具１０の鍵穴４用の孔３ａが設けられている。ロック金具１０は、その鍵穴４が孔３ａの直下に位置するように、蓋３に取り付けられている。ロック金具１０の施錠時、鍵穴４には、路上の泥や砂が詰らないように２つのキャップ５、６が被され、かつ、その中には、誤操作防止用の第２の鍵ユニットであるシリンダ錠７が差し込まれている。キャップ５は、孔３ａとほぼ同径を有しているゴム製のキャップである。キャップ６は、鉄製の鍵穴４の開口部分とほぼ同径を有しているキャップで、鍵穴４の開口部分を塞ぎ、鍵穴４への泥及び砂の侵入を防ぐ。ロック金具１０を解錠する際には、図１（ａ）に示すように、キャップ５、６を外し、鍵穴４からシリンダ錠７を取り外す。
【００１９】
図１（ａ）は、キャップ５、６を外し、更に、シリンダ錠７を取り外した鍵穴４に、開閉鍵８を連結させた状態を示している。本図において、開閉鍵８を反時計回りに９０度回転することによって、ロック金具１０の解錠が行われる。この後、例えば、蓋３の凹部９にレバー（図示せず）を差し込み、蓋３を開ける。
【００２０】
図２（ａ）は、図１（ａ）において、開閉鍵８を反時計回りに９０度回転させてロック金具１０を解錠した時のＡ−Ａ'断面を矢印方向に見た図を示す。図２（ｂ）は、図２（ａ）に示すＢ矢視図、図２（ｃ）は、図２（ａ）に示すＣ矢視図を示す。図３（ａ）は、図１（ａ）において、鍵穴４に開閉鍵８を連結する前の状態、即ち、鍵穴４内にシリンダ錠７が挿入され、その上にキャップ５、６が被されている施錠状態の時のＡ−Ａ'断面を示す。図３（ｂ）は、図３（ａ）に示すＤ矢視図、図３（ｃ）は、図３（ａ）に示すＥ矢視図を示す。なお、図３（ｂ）は、説明の便宜上、キャップ６を外した状態のものを示す。
【００２１】
図２（ａ）、図３（ａ）に示すロック金具１０は、大きく分けて、３つの部分、即ち、蓋３に取り付けるための台座であるブラケット１１と、ブラケット１１を貫通して軸６０の回りに回動可能に取り付けられている鍵部品１２と、鍵部品１２を覆うようにブラケット１１上に取り付けられて蓋３の開閉鍵８を差し込むための鍵穴４を形成するケーシング１３と、で構成されている。鍵部品１２は、開閉鍵８と連結する連結部を頭部に有したシャフト１２ａと、シャフト１２ａの連結部を囲むように取り付けられた円筒状のシャッター部品１２ｂと、シャフト１２ａの下端部にあって、シャフト１２ａを回動することによって蓋３を施錠又は解錠する板状の施錠部材１２ｃとを有している。図２（ａ）、図３（ａ）では、鍵部品１２は、一体として前記回動動作を行う１つの部品として同一の斜線を付して示す。
【００２２】
受枠２の内周面には、中心方向に向かって突出している環状の突起２ａが設けられている。鍵部品１２の施錠部材１２ｃは、解錠時には図２（ｂ）、（ｃ）に示す向きにあり、蓋３を開ける際に突起２ａと干渉しない位置にある。施錠部材１２ｃは、施錠時には図３（ｂ）、（ｃ）に示す向きにあり、蓋３を開ける際に突起２ａに当たり、蓋３を開かなくする位置にある。
【００２３】
図４は、ロック金具１０の分解斜視図、シリンダ錠７、及び、キャップ５、６を示す。鍵穴４を形成しているケーシング１３は、中空の円筒形状を有しており、上部にケーシング開口１３ａ、下部に略矩形状の嵌め込み部１３ｂを有している。ケーシング開口１３ａは、キャップ６が嵌るサイズの直径を有しており、かつ、その内周面にはキャップ６を支持する環状の突起１３ｃを有している。環状の突起１３ｃは、その一部分に上下に貫通している溝１３ｄが形成されている。
【００２４】
シャフト１２ａは、頭部に開閉鍵８（図１（ａ）又は図２（ａ）を参照）と連結する連結部１２ｄを有しており、下部に施錠部材１２ｃを取り付けるためのネジ１２ｅを有している。一例として、開閉鍵８は、端部が６角柱の形状となっており、連結部１２ｄは、対応するサイズの６角穴ｓ１を有し、下側に切り欠きｓ２を有している。なお、６角穴ｓ１に砂又は泥水等が溜まって開閉鍵８が差し込めなくなることを防ぐため、シャフト１２ａには、６角穴ｓ１の底面からネジ１２ｅの軸部分を貫通する孔ｓ３が設けてある。
【００２５】
シャッター部品１２ｂは、中空の円筒形状を有しており、上部開口１２ｆに定められた深さＤ１の溝１２ｇを有しており、下部に、シャフト１２ａのネジ１２ｅを通してシャフト１２ａの連結部１２ｄの切り欠きｓ２を系止する嵌合部分１２ｈを有している。また、シャッター部品１２ｂの内周面には、シリンダ錠７用の鍵の操作によってシリンダ錠７の外周面から突出する可動突起７ｄと係合する深さＤ２〜Ｄ３の幅の環状の凹部１２ｉが設けられている。
【００２６】
ブラケット１１は、厚み板状部材で、ケーシング１３の嵌め込み部１３ｂを嵌め込むための略矩形状の凹部１１ａと、シャッター部品１２ｂを嵌め込むための円筒状の凹部１１ｂと、凹部１１ｂ内にあり、シャフト１２ａを通すための貫通孔１１ｃと、２組の取り付けボルト１１ｄ、１１ｅ及びワッシャー１１ｆ、１１ｇによって蓋３に取り付けるための孔１１ｈ、１１ｉと、鍵部品１２の施錠部材１２ｃの回動可能範囲を定める棒状部材１１ｊと、を備えている。嵌め込み部１３ｂ及びこれに対応する凹部１１ａは、略矩形の形状をしているが、４つの角の内の１つは、他の３つの角とは異なる形状となるようにＲ面取りが施されている。具体的には、１つの角は、他の３つの角と違いが目視確認できるほど、例えば３〜５倍程大きな値でＲ面取りされている。この構成を採用することで、ケーシング１３を所望の向きで正確に取り付けることができる。貫通孔１１ｃの直径は、シャフト１２ａよりも大きく、シャッター部品１２ｂよりも小さい。ブラケット１１の下側、凹部１１ｂに向かい合う個所には、スプリング１２ｎを収納する円筒状の凹部１１ｎが設けられている。
【００２７】
施錠部材１２ｃは、施錠、解錠を行うために用いられる直方体の部材で、シャフト１２ａのネジ１２ｅ用のネジ穴１２ｊと、シャフト固定ネジ１２ｋを差し込むためのネジ穴１２ｍとを有している。貫通孔１１ｃを通したシャフト１２ａのネジ１２ｅは、スプリング１２ｎが取り付けられた後、施錠部材１２ｃのネジ穴１２ｊにねじ込まれる。スプリング１２ｎは、ブラケット１１の凹部１１ｎに収納され、施錠部材１２ｃを下方に押さえることによって、位置調節時に施錠部材１２ｃが不用意に動かないようにしている。施錠部材１２ｃは、シャフト１２ａにねじ込む量によって上下位置を調節した後に、シャフト固定ネジ１２ｋによって固定される。
【００２８】
図５（ａ）〜（ｅ）は、ロック金具１０の組み立て手順を示す図である。先ず、図５（ａ）に示すように、シャフト１２ａを、シャッター部品１２ｂの筒状部分に差し込み、連結部１２ｄの切り欠きｓ２をシャッター部品１２ｂの嵌合部分１２ｈに嵌めて固定する。次に、図５（ｂ）に示すように、ブラケット１１の貫通孔１１ｃにシャフト１２ａを挿入し、シャフトのネジ１２ｅ部分にスプリング１２ｎを取り付けた後に施錠部材１２ｃをねじ込む。詳しくは、施錠部材１２ｃは、凹部１１ｎに当接せず、自由に回動できる所望位置にねじ止めする。この後、シャフト固定ネジ１２ｋをネジ穴１２ｍに差し込んで、施錠部材１２ｃを固定する。図５（ｃ）に斜線を付して示すように、シャフト１２ａ、シャッター部品１２ｂ、施錠部材１２ｃで構成される鍵部品１２は、ブラケット１１に対してシャフト１２ａの軸回りに回動できるように取り付けられる。図５（ｄ）に示すように、シャッター部品１２ｂを覆うようにケーシング１３を取り付ける。取り付けボルト１１ｄ、１１ｅをワッシャー１１ｆ、１１ｇを介して孔１１ｈ、１１ｉに差し込み、蓋３にロック金具１０を取り付ける。図５（ｅ）は、組み立て後のロック金具１０を示す斜視図である。図示するように、施錠部材１２ｃが施錠位置（図３（ａ）を参照）にある時、溝１２ｇと溝１３ｄとは形状整合する位置にある。
【００２９】
図６（ａ）は、施錠部材１２ｃが施錠位置（図３（ａ）を参照）にあるときに、シャッター部品１２ｂの溝１２ｇと、ケーシング開口１３ａ内にある環状の突起１３ｃに設けた溝１３ｄとが形状整合の位置にある場合を、理解の容易のため、その他の部品を省略して示す。溝１３ｄは固定されているため、施錠部材１２ｃの回動に伴ってシャッター部品１２ｂが反時計回りに回動されると、この形状整合状態が解除される。図６（ｂ）は、施錠部材１２ｃが解錠位置（図２（ａ）を参照）にあるときに、溝１２ｇと溝１３ｄとが９０度ずれた位置にあることを示している。
【００３０】
図７（ａ）は、施錠状態のロック金具１０にシリンダ錠７を差し込む様子を示し、（ｂ）は、シリンダ錠７を差し込んだ位置に固定した様子を示し、（ｃ）は、解錠状態のロック金具１０にシリンダ錠７を差し込もうとしている様子を示す。図７（ａ）に示すように、シリンダ錠７は、円柱状の形状を有しており、その外周面頂部に突起７ａを有する部品である。シリンダ錠７は、その頂部に鍵穴７ｂを有しており、専用の鍵７ｃを差し込み回すことによって、外周面から突出又は収納される可動突起７ｄを有している。
【００３１】
図７（ａ）に示すように、施錠部材１２ｃが施錠状態にあるとき、溝１２ｇと溝１３ｄとは形状整合の位置にある（図６（ａ）を参照）。この場合において、図示するようにシリンダ錠７を回転させて突起７ａの位置を溝１３ｄのある位置に合わした後に、鍵穴４に差し込めば、突起７ａは、溝１３ｄを通り抜け、溝１２ｇに嵌る。これによりシリンダ錠７をシャッター部品１２ｂの所望の位置にセットすることができる。図７（ｂ）に示すように、シリンダ錠７を差し込んだ後、専用の鍵７ｃを回して可動突起７ｄを突出させてシャッター部品１２ｂの凹部１２ｉに嵌めることによって、シリンダ錠７は、シャッター部品１２ｂ内に固定される。他方、図７（ｃ）に示すように、施錠部材１２ｃが解錠状態にあるとき、溝１２ｇと溝１３ｄとは９０度ずれた位置にある（図６（ｂ）を参照）。この場合、突起７ａが溝１３ｄを通り抜けることができないため、シリンダ錠７は、シャッター部品１２ｂの開口１２ｆに差し込むことはできない。
【００３２】
ケーシング開口１３ａ及びシャッター部品１２ｂの内周面は、施錠部材１２ｃが施錠状態にあるときにのみシリンダ錠７を差し込み可能にする第３の鍵ユニットとして機能する。即ち、ケーシング開口１３ａの環状の突起１３ｃに形成されている溝１３ｄと、シャッター部品１２ｂの内周面に形成されている溝１２ｇとは、施錠部材１２ｃが施錠状態にある時にのみ形状整合することによって、シリンダ錠７を差し込めるようにする鍵を構成する。これにより蓋３の第１の鍵ユニットを構成している施錠部材１２ｃが解錠状態にある時に、その鍵穴４に、第２の鍵ユニットであるシリンダ錠７が誤って差し込まれることを防ぐことができる。
【００３３】
第３の鍵ユニットの変形例として、例えば、シリンダ錠７の外周面に、突起７ａに加えて、又は突起７ａの代わりに、上下方向沿って伸びる縦溝を設けてもよい。この場合、ケーシング開口１３ａの環状の突起１３ｃ及びシャッター部品１２ｂの開口１２ｆの内周部分に、シリンダ錠７に設けた縦溝に対応する位置に突起を形成する。鍵部品１２の施錠部材１２ｃが施錠状態のときにのみ、シャッター部品１２ｂ及びケーシング開口１３ａに設けた２つの突起が形状整合して１つの縦長の突起を形成し、変形例に係る縦溝を有するシリンダ錠の差し込みが可能になる。
【００３４】
図８は、シリンダ錠７と、該シリンダ錠７の他に用いられている２種類のシリンダ錠７１、７２の側面図を示す。シリンダ錠７１、７２は、シリンダ錠７と同様に、外周面に１つの突起７１ａ、７２ａを有し、かつ、専用の鍵７１ｃ、７２ｃによって外周面から突出又は収納される可動突起７１ｄ、７２ｄを有している。ケーシング開口１３ａの環状の突起１３ｃからの、シャッター部品１２ｂの溝１２ｇの下端までの深さＤ４、凹部１２ｉの上端までの深さＤ５、及び、下端までの深さＤ６は、シリンダ錠７、７１、７２をシャッター部品１２ｂに収納した場合に、可動突起７ｄ、７１ｄ、７２ｄが全て凹部１２ｉに収まる値に設定する。図９（ａ）、（ｂ）は、ロック金具１０に、シリンダ錠７１、７２をそれぞれ収納した場合の断面図を示す。ロック金具１０にシリンダ錠７を収納した場合の断面図は図３（ａ）を参照。
【００３５】
図８において、シリンダ錠７、７１は、突起１３ｃよりも大きな直径のフランジ７ｅ，７１ｅをその頂部に有している。シリンダ錠７、７１は、シャッター部品１２ｂに差し込んだ時、フランジ７ｅが環状の突起１３ｃに当接する位置で止まる。この場合において、深さＤ４は、フランジ７ｅ、７１ｅから突起７ａ、７１ａの下端までの距離Ｄ７、Ｄ１０よりも大きく、深さＤ５はフランジ７ｅ、７１ｅから可動突起７ｄ、７１ｄの上端までの距離Ｄ８、Ｄ１１よりも小さく、深さＤ６は、フランジ７ｅ、７１ｅから可動突起７ｄ、７１ｄの下端までの距離Ｄ９、Ｄ１２よりも大きな値に設定する。
【００３６】
シリンダ錠７２は、フランジを有しておらず、外周面に１つの突起７２ａと、専用の鍵７２ｃで外周面から突出又は収納される可動突起７２ｄとを有している。シリンダ錠７２をシャッター部品１２ｂに差し込んだ場合、外周面に位置している突起７２ａの下端が、シャッター部品１２ｂの溝１２ｇの下端に当接する位置で止まる。シリンダ錠７２の場合、この止まった位置において、可動突起７２ｄがシャッター部品１２ｂの凹部１２ｉのある位置に収まるようにＤ５、Ｄ６を設定する。
【００３７】
上記の構成を採用することでシリンダ錠７以外の複数のシリンダ錠を用いることが可能になる。例えば、深さＤ４がＤ５よりも小さいという条件を満たす、即ち溝１２ｇと凹部１２ｉが不連続であるという条件を満たす限りにおいて、凹部１２ｉの幅（Ｄ５とＤ６との差）を広くすることによって、可動突起の位置変動に対する許容度を高めることができる。
【００３８】
本発明は、第１の鍵ユニットであるロック金具の鍵穴に第２の鍵ユニットであるシリンダ錠を差し込んで鍵穴を埋めるようになっているロック金具において、シリンダ錠の外表面に設けてある突起又は溝に対して、鍵穴の内周面に、第１の鍵ユニットの施錠時にのみ形状整合してシリンダ錠を差し込み可能とする溝又は突起を設けた第３の鍵ユニットを追加したことを特徴とする。本発明の構成は、上記実施形態に示す構成に限られず、発明の趣旨を変更しない範囲で種々の変形が可能である。例えば、直方体状の施錠部材１２ｃの形状及び厚み等は、回動することによって施錠及び解錠を確実に行えるものであれば、種々変更することができる。また、シャッター部品１２ｂ上に被せるキャップ５、６の形状は、嵌め込み式以外にねじ込み式であっても良い。
【産業上の利用可能性】
【００３９】
本発明のロック金具は、第１の鍵ユニットの鍵穴に第２の鍵ユニットであるシリンダ錠を差し込む形態を採用するロック金具全般に用いることができる。
【符号の説明】
【００４０】
１          地下構造物
２          受枠
３          蓋
７          シリンダ錠
７ａ        突起
７ｄ        可動突起
８          開閉鍵
１０        ロック金具
１１        ブラケット
１２        鍵部品
１２ａ      シャフト
１２ｂ      シャッター部品
１２ｃ      施錠部材
１２ｄ      連結部
１２ｆ      シャッター開口
１２ｇ、１３ｄ  溝
１２ｉ      凹部
１３        ケーシング
１３ａ      ケーシング開口
【図１】
2014055465.tif 000003
【図２】
2014055465.tif 000004
【図３】
2014055465.tif 000005
【図４】
2014055465.tif 000006
【図５】
2014055465.tif 000007
【図６】
2014055465.tif 000008
【図７】
2014055465.tif 000009
【図８】
2014055465.tif 000010
【図９】
2014055465.tif 000011